(57)【要約】【課題】  急速に加湿を行う場合における風量設定の操作を省略あるいは少なくすることができる、空気清浄機を提供する。【解決手段】  加湿機能付き空気清浄機１は、送風機２０と、空気清浄部２と、加湿部３と、空気清浄風量設定部５１と、急速加湿スイッチ５５と、制御部５６、５８とを備えている。空気清浄部２は、送風機２０により生成される空気の流れを利用して空気清浄を行う。加湿部３は、送風機２０により流される空気を加湿する。空気清浄風量設定部５１は、空気清浄における送風機２０の風量を設定する。急速加湿スイッチ５５は、加湿を急速に行う運転である急速加湿運転に移行するためのものである。制御部５６、５８は、急速加湿スイッチ５５が入ったときに、空気清浄風量設定部５１で設定されている風量に関わらず送風機２０の風量を急速加湿運転に適した風量とする。その後、制御部５６、５８は、送風機２０の風量を空気清浄風量設定部５１で設定されている風量に戻す。【選択図】      図２
2006046810.tif 000002
【特許請求の範囲】
【請求項１】
送風機（２０）と、
前記送風機（２０）により生成される空気の流れを利用して空気清浄を行う空気清浄部（２）と、
前記送風機（２０）により流される空気を加湿する加湿部（３）と、
前記空気清浄における前記送風機（２０）の風量を設定する空気清浄風量設定部（５１）と、
前記加湿を急速に行う運転である急速加湿運転に移行するための急速加湿スイッチ（５５）と、
前記急速加湿スイッチ（５５）が入ったときに、前記空気清浄風量設定部（５１）で設定されている風量に関わらず前記送風機（２０）の風量を前記急速加湿運転に適した風量とし、その後、前記送風機（２０）の風量を前記空気清浄風量設定部（５１）で設定されている風量に戻す制御部（５６、５８）と、
を備えた空気清浄機。
【請求項２】
前記制御部（５６）は、前記急速加湿運転を所定時間行った後に、前記送風機（２０）の風量を前記空気清浄風量設定部（５１）で設定されている風量に戻すように制御する、
請求項１に記載の空気清浄機。
【請求項３】
前記加湿部（３）の目標湿度を設定する目標湿度設定部（５２）をさらに備えている、
請求項１または２に記載の空気清浄機。
【請求項４】
設置空間の湿度を測定する湿度センサ（５７）をさらに備え、
前記制御部（５８）は、前記設置空間の湿度が目標湿度以上になったときに、前記送風機（２０）の風量を前記空気清浄風量設定部（５１）で設定されている風量に戻すように制御する、
請求項３に記載の空気清浄機。
【請求項５】
前記加湿部（３）による加湿運転中に前記急速加湿スイッチ（５５）が入った場合において、前記目標湿度設定部（５２）は、前記加湿運転のときの目標湿度を前記急速加湿運転における目標湿度として設定する、
請求項３または４に記載の空気清浄機。
【請求項６】
前記加湿部（３）による加湿運転終了後に前記急速加湿スイッチ（５５）が入った場合において、前記目標湿度設定部（５２）は、前記加湿部（３）の運転終了前に設定されていた目標湿度を前記急速加湿運転における目標湿度として設定する、
請求項３または４に記載の空気清浄機。
【請求項７】
前記急速加湿運転に適した風量は、前記送風機（２０）の最大の風量である、
請求項１から６のいずれか１項に記載の空気清浄機。
【請求項８】
前記急速加湿運転は、加湿された前記空気を設置空間で循環させる循環量を増大させる運転である、
請求項１から７のいずれか１項に記載の空気清浄機。
【発明の詳細な説明】
【技術分野】
【０００１】
本発明は、空気清浄機に関し、とくに、加湿機能を有する空気清浄機に関する。
【背景技術】
【０００２】
従来より、加湿機能を有する空気清浄機として、特許文献１に記載されている空気清浄機が知られている。
この空気清浄機は、送風ファンと、集塵フィルタと、気化式加湿装置とを備えている。送風ファンが駆動すると、空気は、吸気口より加湿装置収納室に導入され、気化式加湿装置によって加湿される。そののち、空気は、集塵フィルタによって除塵される。加湿、除塵された空気は、送風ファンを経て排気口より装置本体の外部へ排出される。
【特許文献１】特開平１１―３１４０４８号公報（［００１０］〜［００１３］、図１）
【発明の開示】
【発明が解決しようとする課題】
【０００３】
従来の加湿機能を有する空気清浄機では、加湿運転開始時などにおいて、室内が低湿であるなどの理由で室内の湿度を急速に上げたいときには、送風機の風量を最大または比較的大きい風量に設定して、加湿装置から発生する蒸気を室内に急速に循環させることが考えられる。
たとえば、静音を優先して小さい風量で空気清浄を行う空気清浄優先の通常運転中に、急速に加湿を行わせたい場合、風量は、最大または比較的大きい風量に上げられるように手動で設定される。その後、室内の湿度が十分上がったときに、急速に加湿を行う運転から通常運転に戻す場合には、風量は、通常運転における風量に手動で戻される。すなわち、急速に加湿を行う運転の始動時と終了時において、風量設定の操作を２度行う必要がある。
【０００４】
本発明はこのような問題を解決するためになされたものであり、急速に加湿を行う場合における風量設定の操作を省略あるいは少なくすることができる空気清浄機を提供することを目的とする。
【課題を解決するための手段】
【０００５】
第１発明の空気清浄機は、送風機と、空気清浄部と、加湿部と、空気清浄風量設定部と、急速加湿スイッチと、制御部とを備えている。空気清浄部は、送風機により生成される空気の流れを利用して空気清浄を行う。加湿部は、送風機により流される空気を加湿する。空気清浄風量設定部は、空気清浄における送風機の風量を設定する。急速加湿スイッチは、加湿を急速に行う運転である急速加湿運転に移行するためのものである。制御部は、急速加湿スイッチが入ったときに、空気清浄風量設定部で設定されている風量に関わらず送風機の風量を急速加湿運転に適した風量とする。その後、制御部は、送風機の風量を空気清浄風量設定部で設定されている風量に戻す。
【０００６】
ここでは、急速加湿スイッチが入ったとき、制御部は、空気清浄風量設定部で設定されている風量に関わらず、送風機の風量を急速加湿運転に適した風量に変更する。急速加湿運転の終了後には、制御部は、送風機の風量を空気清浄風量設定部で設定されている風量に戻す。したがって、この空気清浄機では、急速に加湿をさせたいときの空気清浄風量設定部の操作を、省略あるいは少なくすることができる。
【０００７】
第２発明の空気清浄機は、第１発明の空気清浄機であって、制御部は、急速加湿運転を所定時間行った後に、送風機の風量を空気清浄風量設定部で設定されている風量に戻すように制御する。
ここでは、制御部は、急速加湿運転を所定時間行った後に、送風機の風量を空気清浄風量設定部で設定されている風量に戻すように制御する。それによって、所定時間が経過すれば、送風機の風量は、空気清浄風量設定部で設定されている風量に自動的に戻される。したがって、この空気清浄機では、急速に加湿をさせたいときの空気清浄風量設定部の操作を、省略あるいは少なくすることができる。
【０００８】
第３発明の空気清浄機は、第１発明または第２発明の空気清浄機であって、加湿部の目標湿度を設定する目標湿度設定部をさらに備えている。
ここでは、目標湿度設定部をさらに備えているので、加湿部の目標湿度は、任意に設定される。
【０００９】
第４発明の空気清浄機は、第３発明の空気清浄機であって、湿度センサをさらに備える。湿度センサは、設置空間の湿度を測定する。制御部は、設置空間の湿度が目標湿度以上になったときに、送風機の風量を空気清浄風量設定部で設定されている風量に戻すように制御する。
ここでは、制御部は、設置空間の湿度が目標湿度以上になったときに、送風機の風量を空気清浄風量設定部で設定されている風量に戻すように制御する。このため、設置空間の湿度が目標湿度以上になれば、送風機の風量は、空気清浄風量設定部で設定されている風量に自動的に戻される。したがって、この空気清浄機では、急速に加湿をさせたいときの空気清浄風量設定部の操作を、省略あるいは少なくすることができる。
【００１０】
第５発明の空気清浄機は、第３発明または第４発明の空気清浄機であって、加湿部による加湿運転中に急速加湿スイッチが入った場合において、目標湿度設定部は、加湿運転のときの目標湿度を急速加湿運転における目標湿度として設定する。
ここでは、急速加湿前の目標湿度は、そのまま急速加湿運転における目標湿度に用いられる。したがって、この空気清浄機では、急速に加湿をさせたいときの目標湿度を設定する操作を、省略あるいは少なくすることができる。
【００１１】
第６発明の空気清浄機は、第３発明または第４発明の空気清浄機であって、加湿部による加湿運転終了後に急速加湿スイッチが入った場合において、目標湿度設定部は、加湿部の運転終了前に設定されていた目標湿度を急速加湿運転における目標湿度として設定する。
ここでは、前回の加湿運転終了前に設定されていた目標湿度は、そのまま急速加湿運転における目標湿度に用いられる。したがって、この空気清浄機では、急速に加湿をさせたいときの目標湿度を設定する操作を、省略あるいは少なくすることができる。
【００１２】
第７発明の空気清浄機は、第１発明から第６発明のいずれかの空気清浄機であって、急速加湿運転に適した風量は、送風機の最大の風量である。
ここでは、急速加湿運転に適した風量としての最大風量で、急速加湿運転を行うことができる。
【００１３】
第８発明の空気清浄機は、第１発明から第７発明のいずれかの空気清浄機であって、急速加湿運転は、加湿された空気を設置空間で循環させる循環量を増大させる運転である。
ここでいう急速加湿運転とは、加湿された空気を設置空間で循環させる循環量を増大させる運転のことであり、ヒータの温度を上げて単に加湿量を増やす運転とは異なる運転である。すなわち、急速加湿運転によって、加湿された空気を空気清浄機が設置された設置空間に急速に循環させて湿度ムラをなくす、いわゆる湿度サーキュレーションが急速に行われる。
【発明の効果】
【００１４】
第１発明によれば、急速加湿スイッチが入ったときに、制御部は、空気清浄風量設定部で設定されている風量に関わらず、送風機の風量を急速加湿運転に適した風量とし、その後、送風機の風量を空気清浄風量設定部で設定されている風量に戻す。したがって、急速に加湿をさせたいときの空気清浄風量設定部の操作を省略あるいは少なくすることができる。
【００１５】
第２発明によれば、所定時間が経過すれば、送風機の風量は、空気清浄風量設定部で設定されている風量に自動的に戻される。したがって、急速に加湿をさせたいときの空気清浄風量設定部の操作を省略あるいは少なくすることができる。
第３発明によれば、目標湿度設定部をさらに備えているので、加湿部の目標湿度を任意に設定することができる。
【００１６】
第４発明によれば、設置空間の湿度が目標湿度以上になれば、送風機の風量は、空気清浄風量設定部で設定されている風量に自動的に戻される。したがって、急速に加湿をさせたいときの空気清浄風量設定部の操作を省略あるいは少なくすることができる。
第５発明によれば、急速加湿前の目標湿度は、そのまま急速加湿運転における目標湿度に用いられる。したがって、急速に加湿をさせたいときの目標湿度を設定する操作を省略あるいは少なくすることができる。
【００１７】
第６発明によれば、前回の加湿運転終了前に設定されていた目標湿度は、そのまま急速加湿運転における目標湿度に用いられる。したがって、急速に加湿をさせたいときの目標湿度を設定する操作を省略あるいは少なくすることができる。
第７発明によれば、急速加湿運転に適した風量としての最大風量で、急速加湿運転を行うことができる。
【００１８】
第８発明によれば、急速加湿運転によって、加湿された空気を空気清浄機が設置された設置空間に急速に循環させて湿度ムラをなくす、いわゆる湿度サーキュレーションを急速に行うことができる。
【発明を実施するための最良の形態】
【００１９】
［第１実施形態］
つぎに図面を参照しながら、本発明の空気清浄機についてさらに詳細に説明する。図１は、本発明の第１実施形態に係わる空気清浄機の一例である加湿機能付き空気清浄機の部分分解斜視図である。図２は、図１の加湿機能付き空気清浄機の縦断面説明図である。図３は、図２のフィルタユニットの分解斜視図である。図４は、図１の加湿機能付き空気清浄機における空気清浄風量設定部、急速加湿スイッチおよび制御部を含む制御ブロックを概略的に示すブロック図である。
【００２０】
＜全体構成＞
図１〜２および図４に示される加湿機能付き空気清浄機１は、設置空間である室内の空気清浄および加湿を行うものであり、送風機２０と、空気清浄部２と、加湿部３と、急速加湿スイッチ５５と、空気清浄風量設定部５１と、加湿設定部５２（目標湿度設定部）と、制御部５６とを備えている。
この空気清浄機は、ケース４の内部に、送風機２０、および空気清浄部２を構成するフィルタユニット２４（図３参照）が収納され、ケース４の背後には、加湿部３が取り付けられている。
＜送風機２０の構成＞
送風機２０は、図２に示されるように、ファン２１と、モータ２２とを備えている。送風機２０は、ケース４の内部の空間Ｓ１０に配置されている。ファン２１は、遠心方向に風を吹き出すシロッコファンである。送風機２０で発生した遠心方向の風は、ファンケーシング（図示せず）を用いて上方へ案内して吹出口７からケース４の外部に排出される。
＜空気清浄部２の構成＞
空気清浄部２は、複数のフィルタなどによって構成されるフィルタユニット２４を備えている。
【００２１】
送風機２０によって発生された負圧により、空気清浄機１の前面を覆うフロントカバー５に開けられた開口またはスリット（図示せず）、およびフロントカバー５の周囲に形成された周囲吸気口６から、室内の空気が、空気清浄機１の内部に導入される。導入された空気は、フィルタユニット２４を通過することによって、清浄化される。
フィルタユニット２４は、図３に示されるように、プレフィルタ４１と、プラズマイオン化部４２と、第１光触媒フィルタ４８と、第２光触媒フィルタ４５と、インバータランプ４７と、第３光触媒フィルタ４６とから構成されている。これらの各構成要素は、具体的には以下のように構成されている。
【００２２】
まず、フィルタユニット２４の最も前側には、比較的大きなホコリや塵を除去するためのプレフィルタ４１が配置されている。プレフィルタ４１としては、合成樹脂繊維などの防塵ネットを採用することができる。プレフィルタ４１の後方には、プラズマイオン化部４２が配置されている。このプラズマイオン化部４２は、プレフィルタ４１を通過してきた煙、粉塵、花粉、その他の汚れの粒子に強い電荷をかけて帯電させるものであり、後述する第１光触媒フィルタ４８等での粒子の捕集効率を高める。プラズマイオン化部４２の後方には、第１光触媒フィルタ４８が配置されている。第１光触媒フィルタ４８は、プラズマイオン化部４２で帯電させられた粒子を吸着するための静電フィルタ４３と、光触媒作用を有する酸化チタンを含む酸化チタンフィルタ４４とが積層されたものである。この第１光触媒フィルタ４８は、複数回分の長さを巻き込んだロール状とされており、使用中の面が汚れた場合に引き出して汚れた部分をカットするような構成になっている。第１光触媒フィルタ４８の後方には、酸化チタンを含有する材料で構成される第２光触媒フィルタ４５および第３光触媒フィルタ４６が配置されている。第２光触媒フィルタ４５および第３光触媒フィルタ４６の中間には、インバータランプ４７が配置されている。このインバータランプ４７は、第１光触媒フィルタ４８と第２光触媒フィルタ４５と第３光触媒フィルタ４６とに紫外線を照射するものであり、各光触媒フィルタの光触媒作用を活性化する。
以上のように構成されたフィルタユニット２４を通過して清浄された空気は、送風機２０に吸引され、そののち、図１〜２に示されるケース４の上部に設けられる吹出口７から上方に向けて室内に排出される。
【００２３】
＜加湿部３の構成＞
加湿部３は、図１〜２に示されるように、ヒータ９と、蒸発皿１０とを主要部として備え、下部カバー８、背面カバー１８およびタンクカバー１７によって覆われている。ヒータ９は、下部カバー８内部に取り付けられている。また、ヒータ９には、蒸発皿１０の凹部２７が上方から嵌合される。背面カバー１８は、蒸発皿１０をメンテナンスするときなどに取り外される。
【００２４】
蒸発皿１０は、アルミニウムを用いたダイキャスト成形により製造された皿であり、水と接触する内面にはフッ素コーティングが施されている。
また、蒸発皿１０は、Ｕ字形状を呈するパイプ１１を介して水受け部１２に接続されている。水受け部１２は、アルミニウムなどで製造される。水受け部１２の上部には、水を貯留する貯水タンク１６が給水部１６ａを下向きにして接続されている。蒸発皿１０と水受け部１２との水位を一定に保つようにパイプ１１によって接続されることにより、水位保持ユニット１３が構成されている。
【００２５】
さらに、図１〜２に示されるように、蒸発皿１０の上部には、蒸発皿１０から発生する蒸気を受けるための蒸気カバー１４が設けられている。蒸気カバー１４の上部には、蒸気ノズル１５が接続されている。蒸気ノズル１５の上端部は、ケース４の裏板２８に形成された開口２９に接続されている。蒸気カバー１４に集められた蒸気は、蒸気ノズル１５を通って、ケース４内部の空間Ｓ１０へ排出され、空間Ｓ１０の内部の空気とともに吹出口７から室内へ排出される。
また、蒸気ノズル１５の内部には、蒸気が蒸気カバー１４へ逆流するのを防ぐために、逆止弁１５ａ（図２参照）が設けられている。
【００２６】
＜空気清浄風量設定部５１の構成＞
空気清浄風量設定部５１は、図４に示されるように、空気清浄における送風機２０の風量を設定する。空気清浄風量設定部５１は、６種類の風量設定スイッチ５３で構成される。６種類の風量設定スイッチ５３は、「静か」、「弱」、「標準」、「強」および「急速」の５段階の強さに対応したスイッチ、および自動風量設定のための「自動」のスイッチである。なお、６種類の風量設定スイッチ５３のうち、「急速」のスイッチが送風機２０の最大の風量に対応する。
＜加湿設定部５２および急速加湿スイッチ５５の構成＞
加湿設定部５２は、図４に示されるように、加湿部３の目標湿度を設定する。加湿設定部５２は、３種類の加湿設定スイッチ５４で構成される。３種類の加湿設定スイッチ５４は、４０％、５０％、６０％の３段階の目標湿度に対応したスイッチである。
また、加湿設定部５２には、急速加湿スイッチ５５が設けられている。急速加湿スイッチ５５は、加湿を急速に行う運転である急速加湿運転に移行するためのスイッチである。急速加湿スイッチ５５が入れられると、急速加湿運転を始動させる信号が制御部５６に送られる。
【００２７】
＜制御部５６の構成＞
制御部５６は、急速加湿スイッチ５５が入ったときに、空気清浄風量設定部５１で設定されている風量に関わらず送風機２０の風量を急速加湿運転に適した風量として、最大の風量である「急速」の風量に設定する。その後、制御部５６は、送風機の風量を空気清浄風量設定部５１で設定されている風量に戻すように制御する。
制御部５６には、タイマ（図示せず）が内蔵され、急速加湿運転を行うための所定の時間を計測することができる。
制御部５６で生成される制御信号は、送風機２０および加湿部３などへ送られる。この制御信号によって、送風機２０および加湿部３の運転が制御される。
【００２８】
＜加湿機能付き空気清浄機１の運転説明＞
（通常運転）
図２に示されるように、送風機２０が作動すると、送風機２０によって発生する負圧の作用により、空気清浄機１の前面から室内の空気が吸引される。吸引された空気は、空気清浄部２のフィルタユニット２４を通過することによって、清浄化される。
【００２９】
清浄化された空気は、図２の矢印Ａ１によって示されるように、開口３０を通してファン２１の吸気口に吸い込まれ、ファン２１から遠心方向に吹き出される。そののち、ファン２１から吹き出された空気は、ファンケーシング（図示せず）を用いて上方へ案内され、空間Ｓ１０を通って、図２の矢印Ａ２によって示されるように、吹出口７からケース４の外部に排出される。
【００３０】
一方、加湿部３では、ヒータ９を用いて、蒸発皿１０に貯められた水Ｗを沸騰させて蒸気を発生させる。発生した蒸気は、蒸気カバー１４によって集められ、蒸気ノズル１５および開口２９を介して、ケース４の内部の空間Ｓ１０へ排出される。その後、蒸気は、空間Ｓ１０の内部の空気とともに吹出口７を通して室内へ排出され、室内の空気を加湿する。
（急速加湿運転）
図５は、第１実施形態における急速加湿運転時における風量設定および加湿設定の時間的変化を示すタイムチャートである。図６は、第１実施形態における急速加湿運転の手順を示すフローチャートである。
【００３１】
急速加湿運転については、1)空気清浄運転および加湿運転を両方行っているときに始動させる場合（図５に示される区間Ｉの場合）と、2)空気清浄運転のみを行っているときに始動させる場合（図５に示される区間ＩＩの場合）と、3)空気清浄運転および加湿運転を両方とも行っていない状態から始動させる場合と、が考えられる。以下、それぞれの場合におけるについて説明する。
（1)空気清浄運転および加湿運転を両方行っているときに急速加湿運転を始動させる場合（図５の区間Ｉの場合））
図５に示される区間Ｉの場合、急速加湿スイッチ５５を操作する前（図５の区間Ｉにおける「スイッチ操作」よりも左側の状態）は、空気清浄風量設定部５１が操作者の好みに応じて「静か」の風量に設定され、加湿設定部５２が操作者の好みに応じて目標湿度を５０％に設定された状態で、空気清浄および加湿を同時に行う通常運転が行われている。
【００３２】
図６のフローチャートに示されるように、ステップＳ１において空気清浄および加湿を同時に行う通常運転が行われている状態から、ステップＳ２において急速加湿スイッチ５５が入ったとき、制御部５６は、急速加湿スイッチ５５から急速加湿運転を始動させる信号を受け取る。
ステップＳ３において、急速加湿スイッチ５５から始動信号を受けた制御部５６は、空気清浄風量設定部５１で設定されている「静か」の風量に関わらず、送風機２０の風量を最大風量である「急速」の風量に設定し、所定時間だけ急速加湿運転させるように制御する。このとき、加湿設定部５２は、急速加湿運転における目標湿度を、通常運転における目標湿度である５０％に設定する。この急速加湿運転によって、加湿された空気を空気清浄機１が設置された室内に急速に循環させて湿度ムラをなくす、いわゆる湿度サーキュレーションが急速に行われる。
【００３３】
所定時間の経過後、ステップＳ４において、制御部５６は、空気清浄機１の急速加湿運転を終了させて、送風機２０の風量を、通常運転の風量、すなわち空気清浄風量設定部５１で設定されている風量である「静か」の風量に戻すように制御する。
（2)空気清浄運転のみを行っているときに急速加湿運転を始動させる場合(図５に示される区間IIの場合)）
図５に示される区間IIの場合、急速加湿スイッチ５５が操作される前は、空気清浄風量設定部５１は、操作者の好みに応じて「弱」の風量に設定され、空気清浄のみを行っている。すなわち、急速加湿スイッチ５５を操作する前（図５の区間IIにおける「スイッチ操作」よりも左側の状態）においては、加湿および加湿設定は、切られた状態になっている。
【００３４】
この状態から、急速加湿スイッチ５５が入ったとき、制御部５６は、空気清浄風量設定部５１で設定されている「弱」の風量に関わらず、最大風量である「急速」の風量に設定し、所定時間だけ急速加湿運転させるように制御する。このとき、加湿設定部５２は、急速加湿運転における目標湿度を、前回の加湿運転（図５の区間Ｉ参照）の停止前における目標湿度である５０％に設定する。
【００３５】
所定時間の経過後、制御部５６は、空気清浄機１の急速加湿運転を終了させて、送風機２０の風量を、通常運転の風量、すなわち空気清浄風量設定部５１で設定されている風量である「弱」の風量に戻すように制御する。なお、急速加湿運転が終了した後も、加湿運転は、目標湿度を５０％として、継続して行われる。
（3)空気清浄運転および加湿運転を両方とも行っていないときに始動させる場合）
空気清浄運転および加湿運転を両方とも行っていない状態から、急速加湿スイッチ５５が入ったとき、制御部５６は、前回の空気清浄運転において空気清浄風量設定部５１で設定された風量（たとえば、「弱」）に関わらず、最大風量である「急速」の風量に設定し、所定時間だけ急速加湿運転させるように制御する。このとき、加湿設定部５２は、急速加湿運転における目標湿度を、前回の加湿運転の停止前における目標湿度（たとえば、５０％）に設定する。
所定時間の経過後、制御部５６は、空気清浄機１の急速加湿運転を終了させて、送風機２０の風量を、通常運転の風量、すなわち空気清浄風量設定部５１で設定されている風量である「弱」の風量に戻すように制御する。なお、急速加湿運転が終了した後も、加湿運転は、目標湿度を５０％として、継続して行われる。
【００３６】
＜第１実施形態の特徴＞
（１）
第１実施形態の空気清浄機では、急速加湿スイッチ５５が入ったときに、制御部５６は、空気清浄風量設定部５１で設定されている風量に関わらず、送風機２０の風量を急速加湿運転に適した風量に変更する。急速加湿運転の終了後には、制御部５６は、送風機２０の風量を空気清浄風量設定部５１で設定されている風量に戻す。したがって、この空気清浄機では、急速に加湿をさせたいときの空気清浄風量設定部５１の操作を、省略あるいは少なくすることができる。
（２）
第１実施形態の空気清浄機は、制御部５６は、急速加湿運転を所定時間行った後に、送風機２０の風量を空気清浄風量設定部５１で設定されている風量に戻すように制御する。したがって、所定時間が経過すれば、送風機２０の風量は、空気清浄風量設定部５１で設定されている風量に自動的に戻される。したがって、この空気清浄機では、急速に加湿をさせたいときの空気清浄風量設定部５１の操作を、省略あるいは少なくすることができる。
（３）
第１実施形態の空気清浄機は、目標湿度を設定するための加湿設定部５２をさらに備えているので、加湿部３の目標湿度は任意に設定される。
（４）
第１実施形態の空気清浄機は、加湿部３による加湿運転中に急速加湿スイッチ５５が入った場合において、加湿設定部５２は、加湿運転のときの目標湿度を急速加湿運転における目標湿度として設定する。そのため、急速加湿前の目標湿度は、そのまま急速加湿運転における目標湿度に用いられる。したがって、急速に加湿をさせたいときの目標湿度を設定する操作を、省略あるいは少なくすることができる。
（５）
第１実施形態の空気清浄機は、加湿部３による加湿運転後に急速加湿スイッチ５５が入った場合において、加湿設定部５２は、加湿部３の運転終了前に設定されていた目標湿度を急速加湿運転における目標湿度として設定する。そのため、前回の加湿運転が停止する前の目標湿度は、そのまま急速加湿運転における目標湿度に用いられる。したがって、急速に加湿をさせたいときの目標湿度を設定する操作を、省略あるいは少なくすることができる。
（６）
第１実施形態の空気清浄機は、急速加湿運転に適した風量としての最大風量で、急速加湿運転を行うことができる。
（７）
第１実施形態における急速加湿運転とは、加湿部３によって加湿された空気を、空気清浄機１が設置された室内で循環させる循環量を増大させる運転のことであり、ヒータの温度を上げて単に加湿量を増やす運転とは異なる運転である。すなわち、急速加湿運転によって、加湿された空気を室内に急速に循環させて湿度ムラをなくす、いわゆる湿度サーキュレーションが急速に行われる。
【００３７】
＜第１実施形態の変形例＞
（Ａ）
第１実施形態では、送風機２０の風量を急速加湿運転に適した風量として、最大の風量を例にあげて説明したが、本発明はこれに限定されるものではなく、最大の風量でなくても、急速加湿運転に適した風量であればよく、比較的大きい風量を採用してもよい。
（Ｂ）
第１実施形態における急速加湿スイッチ５５は、手動操作を行うためのボタンからなるが、本発明はこれに限定されるものではなく、急速加湿スイッチ５５として、他のセンサと連動して急速加湿運転を始動するためのスイッチを採用してもよい。たとえば、室内に人間が侵入したことを赤外線センサなどで検知したときに、この赤外線センサに連動して急速加湿運転を始動させるような連動式のスイッチを採用してもよい。
【００３８】
［第２実施形態］
図７は、図１の加湿機能付き空気清浄機における空気清浄風量設定部、急速加湿スイッチおよび制御部を含む制御ブロックを概略的に示すブロック図である。図８は、第２実施形態における急速加湿運転の手順を示すフローチャートである。
＜全体構成＞
第２実施形態における空気清浄機は、第１実施形態における加湿機能付き空気清浄機１の構成とほぼ共通しており、湿度センサ５７（図７参照）を備えている点で異なっている。
＜湿度センサ５７の構成＞
湿度センサ５７は、図７に示されるように、室内の湿度を測定するセンサである。湿度センサ５７で測定された湿度データは、制御部５８へ送られる。湿度センサ５７は、空気清浄機１の本体に取り付けられる。
＜制御部５８の構成＞
第２実施形態における制御部５８は、第１実施形態の制御部５６のようにタイマを内蔵する代わりに、湿度センサ５７で検出された室内の湿度が目標湿度以上になったときに、送風機２０の風量を空気清浄風量設定部５１で設定されている風量に戻すように制御する。
【００３９】
＜加湿機能付き空気清浄機１の運転説明＞
（通常運転）
通常運転は、第１実施形態と共通するので、ここでは説明を省略する。
（急速加湿運転）
図８のフローチャートに示されるように、ステップＳ１１において、たとえば空気清浄および加湿を同時に行う通常運転を行っている。このとき、空気清浄風量設定部５１は、操作者の好みに応じた風量（たとえば「静か」の風量）に設定し、加湿設定部５２は、操作者の好みに応じた目標湿度（たとえば５０％）に設定した状態で、空気清浄を行いながら加湿を行っている。
【００４０】
この通常運転の状態から、ステップＳ１２において急速加湿スイッチ５５が入ったとき、制御部５８は、急速加湿スイッチ５５から急速加湿運転を始動させる始動信号を受け取る。
ステップＳ１３において、急速加湿スイッチ５５から始動信号を受けた制御部５８は、空気清浄風量設定部５１で設定されている「静か」の風量に関わらず、送風機２０の風量を最大の風量である「急速」の風量に設定し、急速加湿運転させるように制御する。このとき、加湿設定部５２は、急速加湿運転における目標湿度を、通常運転における目標湿度（たとえば５０％）に設定する。
ステップＳ１４において、制御部５８は、湿度センサ５７によって測定される室内の湿度が目標湿度以上になったか否かを判定する。このとき、室内の湿度が目標湿度以上になった場合にはステップＳ１５に進み、目標湿度以上でない場合にはステップＳ１３に戻って急速加湿運転を続ける。
その後、ステップＳ１５において、制御部５８は、空気清浄機１の急速加湿運転を終了させて、送風機２０の風量を、通常運転の風量、すなわち空気清浄風量設定部５１で設定されている風量である「静か」の風量に戻すように制御する。
【００４１】
＜第２実施形態の特徴＞
（１）
第２実施形態の空気清浄機は、湿度センサ５７を備えている。制御部５８は、湿度センサ５７によって測定された室内の湿度が目標湿度以上になったときに、送風機２０の風量を空気清浄風量設定部５１で設定されている風量に戻すように制御する。そのため、室内の湿度が目標湿度以上になれば、送風機２０の風量は、急速加湿前の風量に自動的に戻される。したがって、この空気清浄機では、急速に加湿をさせたいときの空気清浄風量設定部５１の操作を、省略あるいは少なくすることができる。
＜第２実施形態の変形例＞
（Ａ）
第２実施形態では、湿度センサ５７が空気清浄機１の本体に取り付けられているが、本発明はこれに限定されるものではなく、室内の湿度を測定できるものであれば、他の湿度センサを用いてもよい。たとえば、室内に設置された空気調和機の室内機、またはその室内機を操作するためのリモコンなどに取り付けられた湿度センサを用いてもよい。また、この場合、湿度センサからの湿度情報を赤外線通信などを利用して空気清浄機１の制御部５８へ伝達するようにしてもよい。
【図面の簡単な説明】
【００４２】
【図１】本発明の第１実施形態に係わる空気清浄機の一例である加湿機能付き空気清浄機の部分分解斜視図。
【図２】図１の加湿機能付き空気清浄機の縦断面説明図。
【図３】図２のフィルタユニットの分解斜視図。
【図４】図１の加湿機能付き空気清浄機における空気清浄風量設定部、急速加湿スイッチおよび制御部を含む制御ブロックを概略的に示すブロック図。
【図５】第１実施形態における急速加湿運転時における風量設定および加湿設定の時間的変化を示すタイムチャート。
【図６】第１実施形態における急速加湿運転の手順を示すフローチャート。
【図７】本発明の第２実施形態における加湿機能付き空気清浄機における空気清浄風量設定部、急速加湿スイッチおよび制御部を含む制御ブロックを概略的に示すブロック図。
【図８】本発明の第２実施形態における急速加湿運転の手順を示すフローチャート。
【符号の説明】
【００４３】
１  加湿機能付き空気清浄機
２  空気清浄部
３  加湿部
９  ヒータ
２０  送風機
５１  空気清浄風量設定部
５２  加湿設定部（目標湿度設定部）
５５  急速加湿スイッチ
５７  湿度センサ
【図１】
2006046810.tif 000003
【図２】
2006046810.tif 000004
【図３】
2006046810.tif 000005
【図４】
2006046810.tif 000006
【図５】
2006046810.tif 000007
【図６】
2006046810.tif 000008
【図７】
2006046810.tif 000009
【図８】
2006046810.tif 000010